(57)【特許請求の範囲】
【請求項１】
リレー本体と、
前記リレー本体の上面から伸長し、上端に開口を有する外壁部を含むコネクタと、
前記リレー本体の下面から突出して設けられる電子部品接続用端子と、
を備え、
前記コネクタは前記外壁部で囲まれた端子を有し、この端子と前記電子部品接続用端子が前記リレー本体内に設けられた固定端子に接続されている電磁リレー。
【請求項２】
前記コネクタは、主端子の引き廻しにより前記リレー本体に一体的に最大４個まで設けられる請求項１に記載の電磁リレー。
【請求項３】
前記外壁部の上端が前記端子の上端を越えて突出している請求項１に記載の電磁リレー。
【発明の詳細な説明】
【技術分野】
【０００１】
本発明は、電磁リレーに関する。
【背景技術】
【０００２】
従来、電磁リレーでは、コネクタや電子部品との接続にバスバーを用いている。図５にその様子を示す。同図に示すように、電磁リレー１００とコネクタ１０１及び電子部品１０２がバスバー１０３を介して接続されている。なお、このようなバスバーによるコネクタや電子部品の接続方法を採ったものとして、特許文献１に記載された「リレー装置及びその製造方法」が知られている。この特許文献１には導体板の一端を複数のコネクタ端子、回路素子等の接続端子としている点が記載されている。一方、特許文献２には、リレーのリードをコネクタ端子として形成し、一体化した「リレー内蔵コネクタ」が記載されている。
【先行技術文献】
【特許文献】
【０００３】
【特許文献１】特開平８−０７７９０３号公報
【特許文献２】特開平９−２１９２５９号公報
【発明の概要】
【発明が解決しようとする課題】
【０００４】
ところで、図６に示すように、リレー本体とコネクタを一体化すると、バスバーは電子部品を接続するためだけのものとなり、それだけのためにバスバーを使用すると、コスト的に見合わなくなる。しかし、バスバーを使用しないと電子部品を接続することができなくなる。
【０００５】
本発明は、係る事情に鑑みてなされたものであり、リレー本体とコネクタとの一体化を図るとともに、バスバーを使用することなく電子部品を接続することができる電磁リレーを提供することを目的とする。
【課題を解決するための手段】
【０００６】
本発明の電磁リレーは、リレー本体と、前記リレー本体に一体的に設けられるコネクタと、前記リレー本体から突出して設けられる電子部品接続用端子と、を備えた。
【０００７】
また、前記電磁リレーにおいて、前記コネクタは、主端子の引き廻しにより前記リレー本体に一体的に最大４個まで設けられる。
【発明の効果】
【０００８】
本発明は、リレー本体に一体的にコネクタを設けることともに、リレー本体から突出して電子部品接続用端子を設けたので、リレー本体とコネクタとの一体化を図るとともに、バスバーを使用することなく電子部品を接続することが可能となる。
【図面の簡単な説明】
【０００９】
【図１】本発明の一実施の形態に係る電磁リレーの外観を示す図であり、（ａ）は上方から見た図、（ｂ）は横から見た図、（ｃ）は後方から見た図
【図２】図１の電磁リレーのＡ−Ａ線断面図
【図３】図１の電磁リレーの応用例（１）を示す図
【図４】図１の電磁リレーの応用例（２）を示す図
【図５】従来の電磁リレーとコネクタ及び電子部品との接続を示す図
【図６】従来のコネクタ一体型の電磁リレーの外観を示す図
【発明を実施するための形態】
【００１０】
以下、本発明を実施するための好適な実施の形態について、図面を参照して詳細に説明する。
【００１１】
図１は、本発明の一実施の形態に係る電磁リレーの外観を示す図であり、（ａ）は上方から見た図（平面図）、（ｂ）は横から見た図（側面図）、（ｃ）は後方から見た図（背面図）である。
【００１２】
本実施の形態の電磁リレー１は、リレー本体２の上面にコネクタ２０を一体的に設けるとともに、リレー本体２の下面から突出させた電子部品接続用端子３０を設けたものである。コネクタ２０は１つの端子２０１を有し、この端子２０１と電子部品接続用端子３０がリレー本体２内に設けられた固定端子１５に接続されている。電子部品接続用端子３０には、電子部品１０２（図５参照）が接続される。
【００１３】
図２は、図１の電磁リレー１のＡ−Ａ線断面図である。同図において、電磁リレー１は、樹脂等の絶縁性部材にて形成されたベース１０に、電磁石部１１、接極子１２、カード１３、可動端子１４及び固定端子１５が並列に設けられている。
【００１４】
電磁石部１１は、主にヨーク１１１と、ヨーク１１１に固定されたコイル１１２とから構成される。接極子１２は、略く字形状に屈曲形成されており、電磁石部１１のヨーク１１１の上端縁にヒンジバネ（図示略）を介して回動自在に支持される。カード１３は、ベース１０に接極子１２及び可動端子１４の方向へ回動自在に支持される。カード１３は、接極子１２と接触する第１の枝部１３１と、可動端子１４と接触する第２の枝部１３２とを有している。可動端子１４は、カード１３と対向して配置され、上端部分でカード１３の第２の枝部１３２と接触する。可動端子１４には、カード１３の第２の枝部１３２と接触する位置より下方に可動接点１４１が設けられている。固定端子１５は、可動端子１４と対向して配置され、上端部分がＬ字形状に形成されており。Ｌ字形状部分のうち垂直方向に向いた部分がコネクタ２０の端子２０１に相当する。
【００１５】
このような構成の電磁リレー１では、電磁石部１１に電圧を印加してないときは、ヒンジバネ（図示略）のバネ力で接極子１２の下端部１２１の近傍が押圧されているので、接極子１２の上端部１２２の吸着面が電磁石部１１の磁極部１１３から離間している。また、接極子１２の上端部１２２の吸着面が電磁石部１１の磁極部１１３から離間していることからカード１３が静止状態にあり、可動端子１４の可動接点１４１と固定端子１５の固定接点１５１が離間状態にある。この状態から電磁石部１１に電圧を印加すると、電磁石部１１が励磁状態となって、接極子１２の上端部１２２の吸着面が電磁石部１１に吸引される。そして、このときの接極子１２の回動によってカード１３が可動端子１４側に回動し、可動端子１４の可動接点１４１と固定端子１５の固定接点１５１が接触し、可動端子１４と固定端子１５が通電状態となる。
【００１６】
その後、電磁石部１１に電圧を印加している状態から電圧の印加を止めると、電磁石部１１が消磁状態となって、接極子１２の電磁石部１１に対する吸引が解かれる。接極子１２の吸引が解かれると、ヒンジバネ（図示略）のバネ力によって接極子１２の下端部１２１の近傍が押圧されて、接極子１２が電圧印加時と逆方向に回動する。このときの接極子１２の回動によってカード１３が接極子１２側に回動し、可動端子１４の可動接点１４１と固定端子１５の固定接点１５１が離間し、可動端子１４と固定端子１５が非通電状態となる。
【００１７】
このように、本実施の形態の電磁リレー１によれば、リレー本体２に一体的にコネクタ２０を設けることともに、リレー本体１から突出して電子部品接続用端子３０を設けたので、リレー本体２とコネクタ２０との一体化を図るとともに、バスバーを使用することなく電子部品を接続することが可能となる。
【００１８】
なお、本実施の形態の電磁リレー１では、コネクタ２０を１個設けたものであったが、複数個設けることも可能である。また、複数の固定端子１５のそれぞれに対して電子部品接続用端子３０を設けることも可能である。また、電子部品接続用端子３０も１個に限定されるものではなく、複数個設けることも勿論可能である。図３は、本実施の形態の電磁リレー１の応用例（１）の電磁リレー３を後方から見た図（背面図）であり、２個のコネクタ２０を一体化した例である。応用例（１）では、２個のコネクタ２０それぞれの端子２０１が固定端子１５に接続されている。図４は、本実施の形態の電磁リレー１の応用例（２）の電磁リレー４を後方から見た図（背面図）であり、２個のコネクタ２０を一体化するとともに、２個の電子部品接続用端子３０を設けた例である。応用例（２）では、２つの固定端子１５のそれぞれに対して、コネクタ２０の端子２０１と電子部品接続用端子３０が接続されている。
【符号の説明】
【００１９】
１、３、４  電磁リレー
２  リレー本体
１０  ベース
１１  電磁石部
１２  接極子
１３  カード
１４  可動端子
１５  固定端子
２０  コネクタ
３０  電子部品接続用端子
１１１  ヨーク
１１２  コイル
１１３  磁極部
１３１  第１の枝部
１３２  第２の枝部
１４１  可動接点
１５１  固定接点
２０１  端子
【図１】
0005807174.tif 000002
【図２】
0005807174.tif 000003
【図３】
0005807174.tif 000004
【図４】
0005807174.tif 000005
【図５】
0005807174.tif 000006
【図６】
0005807174.tif 000007